(57)【要約】【課題】１週間の７つの曜日の設定信号がリモコンから送信された場合、空気調和機がその設定信号を正常受信できなかった場合に、報知することによって誤設定を抑制することができる空気調和機を得る。【解決手段】室内機２は、少なくとも、リモコン１等からの信号を受信する受信部２１、その受信部２１から信号を受信して解析等を実施する制御部２２、及び、その制御部２２による解析結果等を報知する報知部２３を備えており、報知部２３は、第２受信信号解析部２２４が受信信号判定部２２２によって７曜日すべてのウィークリータイマー信号が正常に受信される前にタイマー計測部２２３によってカウントされているタイマーがタイムアップしたと判定した場合、第２受信信号解析部２２４からその旨の通知を受信して報知する。【選択図】図１
2011085282.tif 000002
【特許請求の範囲】
【請求項１】
室内機と、
１週間の曜日ごと、又は、各曜日の時間帯ごとの前記室内機の運転状態を設定する信号（以下、ウィークリータイマー信号という）等を無線通信によって前記室内機に送信するリモートコントローラー（以下、リモコンという）と、
を備え、
前記室内機は、
前記リモコンから信号を受信する受信部と、該受信部が受信した前記信号が前記ウィークリータイマー信号であるか否かを判定する制御部と、を有し、
前記制御部は、
前記リモコンから前記受信部を介して前記信号を受信開始した後、所定の制限時間をカウントするタイマーをスタートし、
前記リモコンによって前記室内機に送信されるべき前記ウィークリータイマー信号のすべてを前記タイマーのカウント中に正常受信できない場合に、異常と判定する
ことを特徴とする空気調和機。
【請求項２】
前記室内機は、使用者に運転状況等を報知する報知部を有し、
該報知部は、前記制御部が前記異常判定をした場合、前記ウィークリータイマー信号を正常受信できなかった旨を報知する
ことを特徴とする請求項１記載の空気調和機。
【請求項３】
前記制御部は、
前記リモコンから前記受信部を介して前記信号を受信開始して、最初に受信した該信号に含まれる信号の識別情報が前記ウィークリータイマー信号を示していると判断した場合に、前記タイマーをスタートする
ことを特徴とする請求項１又は請求項２記載の空気調和機。
【請求項４】
前記制御部は、
前記リモコンから前記受信部を介して前記信号を受信開始して、最初に受信した該信号が前記ウィークリータイマー信号であると判断した場合に、前記タイマーをスタートする
ことを特徴とする請求項１又は請求項２記載の空気調和機。
【請求項５】
前記制御部は、前記信号が前記ウィークリータイマー信号でない場合に、前記正常受信でないと判断する
ことを特徴とする請求項１〜請求項４のいずれかに記載の空気調和機。
【請求項６】
前記制御部は、
前記リモコンから前記受信部を介して受信する前記ウィークリータイマー信号の曜日の順番が設定され、
前記リモコンから前記受信部を介して受信した前記ウィークリータイマー信号が、その順番と異なる曜日のものである場合、前記正常受信でないと判断する
ことを特徴とする請求項１〜請求項５のいずれかに記載の空気調和機。
【請求項７】
前記制御部は、前記信号が所定のフォーマットでない、又は、前記信号と共に前記リモコンから送信されたチェックサム値と前記信号に基づいて演算したチェックサム値とが一致しない場合、前記正常受信でないと判断する
ことを特徴とする請求項１〜請求項６のいずれかに記載の空気調和機。
【請求項８】
前記室内機は、前記制御部が前記信号を前記ウィークリータイマー信号として前記正常受信できない場合に該信号に対応する曜日（以下、異常曜日という）を記憶するメモリー部と、該メモリー部に記憶された前記異常曜日を前記リモコンに送信する送信部と、を有し、
前記リモコンは、前記送信部から受信した前記異常曜日に対応する前記ウィークリータイマー信号を前記室内機に再送信する
ことを特徴とする請求項１〜請求項７のいずれかに記載の空気調和機。
【請求項９】
前記制御部が前記信号を前記ウィークリータイマー信号として前記正常受信できない場合、前記異常曜日を前記メモリー部に記憶し、前記送信部が前記メモリー部に記憶された前記異常曜日を前記リモコンに送信し、該リモコンが前記異常曜日に対応する前記ウィークリータイマー信号を前記室内機に再送信する一連の処理が、所定回数実施される
ことを特徴とする請求項８記載の空気調和機。
【請求項１０】
前記リモコンが前記室内機に送信する前記ウィークリータイマー信号について、曜日、時間帯又は送信する順番が前記リモコンによって任意に設定可能である
ことを特徴とする請求項１〜請求項９のいずれかに記載の空気調和機。
【発明の詳細な説明】
【技術分野】
【０００１】
本発明は、リモートコントローラーから送信される各曜日の運転状態の設定信号を空気調和機が受信した際、その受信情報の内容により異常と判定することができる空気調和機に関する。
【背景技術】
【０００２】
従来、１週間の全ての曜日に対して、一括して運転状態を空気調和機に設定するか、曜日を複数のグループに分割してグループごとにまとめて空気調和機に設定するか、又は、曜日ごとに空気調和機に設定することができる空調機器がある（例えば、特許文献１参照）。
【先行技術文献】
【特許文献】
【０００３】
【特許文献１】特開平１１−３２５５３７号公報（第４頁、図１）
【発明の概要】
【発明が解決しようとする課題】
【０００４】
しかしながら、特許文献１において、１週間の曜日ごとの運転状態を設定する方法については記載されているが、受信した設定信号を空調機器が異常信号と判定する方法については明記されていない。例えば、１週間の曜日ごとの運転状態を受信した空調機器が、ある曜日の信号を正常受信できず、報知することもできない場合には、リモコンにより設定した運転状態によって運転を実施しない、又は、空調機器が設定信号を正常受信したか否か判別できないといった問題点があった。
【０００５】
本発明は、上記のような課題を解決するためになされたもので、第１の目的は、１週間の７つの曜日（以下、７曜日という）の設定信号がリモコンから送信された場合、空気調和機がその設定信号を正常受信できなかった場合に、報知することによって誤設定を抑制することである。そして、第２の目的は、空気調和機がリモコンから設定信号を正常受信できなかった場合には、再度、リモコンから正常受信できなかった曜日の信号を送信することで確実に運転状態を設定することである。
【課題を解決するための手段】
【０００６】
本発明に係る空気調和機は、室内機と、１週間の曜日ごと、又は、各曜日の時間帯ごとの前記室内機の運転状態を設定する信号（以下、ウィークリータイマー信号という）等を無線通信によって前記室内機に送信するリモートコントローラー（以下、リモコンという）と、を備え、前記室内機は、前記リモコンから信号を受信する受信部と、該受信部が受信した前記信号が前記ウィークリータイマー信号であるか否かを判定する制御部と、を有し、前記制御部は、前記受信部が前記リモコンから前記信号を受信開始してから所定の制限時間をカウントするタイマーをスタートし、前記リモコンによって前記室内機に送信されるべき前記ウィークリータイマー信号のすべてを前記タイマーのカウント中に正常受信できない場合に、異常と判定することを特徴とする。
【発明の効果】
【０００７】
本発明に係る空気調和機によれば、正常信号を受信できない、又は、例えば月曜日、火曜日、・・・というように所定の順序でウィークリータイマー信号を受信できない場合等によって７曜日すべてのウィークリータイマー信号を所定の制限時間内に受信できない場合にウィークリータイマー信号の受信について異常終了したものとして使用者に対し報知することができ、これによって、使用者に再度リモコンによる設定を促すことができる。
【図面の簡単な説明】
【０００８】
【図１】本発明の実施の形態１に係る空気調和機における室内機及びリモコンの構成図である。
【図２】本発明の実施の形態１に係る空気調和機における室内機及びリモコンの動作を示すフローチャートである。
【図３】本発明の実施の形態２に係る空気調和機における室内機及びリモコンの構成図である。
【図４】本発明の実施の形態２に係る空気調和機における室内機及びリモコンの動作を示すフローチャートである。
【発明を実施するための形態】
【０００９】
実施の形態１．
（リモコン１及び室内機２の構成）
図１は、本発明の実施の形態１に係る空気調和機における室内機及びリモコンの構成図である。
【００１０】
図１で示されるように、本実施の形態に係る空気調和機は、少なくとも、リモコン１及び室内機２を備えている。室内機２は、少なくとも、リモコン１等からの信号を受信する受信部２１、その受信部２１から信号を受信して解析等を実施する制御部２２、及び、その制御部２２による解析結果等を報知する報知部２３を備えている。
【００１１】
制御部２２は、少なくとも、リモコン１から受信部２１を介して受信した信号が正常であるか否かを判定する第１受信信号解析部２２１、この第１受信信号解析部２２１から正常信号を受信して、その正常信号が１週間の各曜日の運転状態を設定する信号（以下、ウィークリータイマー信号という）であるか否かを判定する受信信号判定部２２２、第１受信信号解析部２２１から、リモコン１から受信部２１を介して信号の受信を開始した旨の通知を受信して、ウィークリータイマー信号を受信するための所定の制限時間をカウントするタイマーをスタートするタイマー計測部２２３、及び、受信信号判定部２２２によって７曜日すべてのウィークリータイマー信号が正常に受信されたか否かを、及び、タイマー計測部２２３によってカウントされているタイマーがタイムアップしたか否かを判定する第２受信信号解析部２２４を有する。ここで、受信した信号が正常であるとは、予め決められた信号のフォーマットであること、かつ、リモコン１から送信された信号のチェックサム値と受信信号のチェックサム値とが一致すること等を指す。反対に、受信した信号が異常である場合、その信号を異常信号というものとする。また、第１受信信号解析部２２１は、リモコン１から受信部２１を介して受信した信号が異常信号であると判定した場合、その異常信号を破棄して、次の信号の受信待ち状態となる。そして、受信信号判定部２２２は、第１受信信号解析部２２１から受信した正常信号が所定の曜日に対応するウィークリータイマー信号でなかった場合、次の正常信号の受信待ち状態となる。
【００１２】
報知部２３は、受信信号判定部２２２が第１受信信号解析部２２１から受信した正常信号が所定の曜日に対応するウィークリータイマー信号であると判定した場合、受信信号判定部２２２からその旨の通知を受信し、ウィークリータイマー信号を受信開始したことを報知する。また、報知部２３は、第２受信信号解析部２２４が受信信号判定部２２２によって７曜日すべてのウィークリータイマー信号が正常に受信されたと判定した場合、第２受信信号解析部２２４からその旨の通知を受信して報知する。さらに、報知部２３は、第２受信信号解析部２２４が受信信号判定部２２２によって７曜日すべてのウィークリータイマー信号が正常に受信される前にタイマー計測部２２３によってカウントされているタイマーがタイムアップしたと判定した場合、第２受信信号解析部２２４からその旨の通知を受信して報知する。
【００１３】
（リモコン１及び室内機２の動作）
図２は、本発明の実施の形態１に係る空気調和機における室内機及びリモコンの動作を示すフローチャートである。図２を参照しながら、本実施の形態に係る空気調和機において、第１受信信号解析部２２１が、リモコン１から受信部２１を介して最初の曜日の信号を受信した以降のリモコン１及び室内機２の動作を説明する。本実施の形態においては、第１受信信号解析部２２１が、リモコン１から受信部２１を介して受信する信号として月曜日の信号から、火曜日、水曜日、・・・、日曜日の順番で受信するものとしている。
【００１４】
（Ｓ１）
第１受信信号解析部２２１は、リモコン１から受信部２１を介して信号の受信を開始すると、その信号の受信を開始した旨をタイマー計測部２２３に通知する。その通知を受信したタイマー計測部２２３は、ウィークリータイマー信号を受信するための所定の制限時間をカウントするタイマーをスタートする。そして、ステップＳ２へ進む。
なお、第１受信信号解析部２２１は、上記のように、リモコン１から受信部２１を介して信号の受信を開始した旨をそのままタイマー計測部２２３に通知するものとしたが、これに限定されるものではなく、この受信を開始した信号のうち、その信号の種別を識別するためのフラグ等の情報を判別して、このフラグ等によりウィークリータイマー信号であると判別した場合のみ、信号の受信を開始した旨をタイマー計測部２２３に通知し、その通知を受信したタイマー計測部２２３は、タイマーをスタートする動作としてもよい。このとき、上記のフラグ等によってウィークリータイマー信号でないと判別した場合（例えば、受信した信号が通常の操作信号である場合等）、処理を終了するものとすればよい。
【００１５】
（Ｓ２）
ステップＳ２は、月曜日のウィークリータイマー信号を受信する処理であり、ステップＳ２１〜ステップＳ２４によって構成されている。
【００１６】
（Ｓ２１）
第２受信信号解析部２２４は、タイマー計測部２２３によってカウントされているタイマーがタイムアップしたか否かを判定する。その判定の結果、タイムアップしていないと判定した場合はステップＳ２２へ、また、タイムアップしたと判定した場合はステップＳ１０へ進む。
【００１７】
（Ｓ２２）
第１受信信号解析部２２１は、リモコン１から受信部２１を介して信号を受信する。そして、ステップＳ２３へ進む。
【００１８】
（Ｓ２３）
第１受信信号解析部２２１は、受信した信号が正常信号であるか否かを判定する。その判定の結果、受信した信号が正常信号であると判定した場合はステップＳ２４へ進み、また、受信した信号が異常信号であると判定した場合は、その異常信号を破棄してステップＳ２１へ戻る。
【００１９】
（Ｓ２４）
受信信号判定部２２２は、第１受信信号解析部２２１から正常信号を受信し、その受信した正常信号が月曜日のウィークリータイマー信号であるか否かを判定する。その判定の結果、正常信号が月曜日のウィークリータイマー信号であると判定した場合はステップＳ３へ進み、また、正常信号が月曜日のウィークリータイマー信号でないと判定した場合はステップＳ２１へ戻る。ここで、正常信号が月曜日のウィークリータイマー信号でないとは、正常信号がウィークリータイマー信号でない場合、又は、ウィークリータイマー信号であったとしても月曜日のものではない場合をいう。
【００２０】
（Ｓ３）
受信信号判定部２２２は、正常信号が月曜日のウィークリータイマー信号であると判定した場合、その旨を報知部２３に通知する。その通知を受信した報知部２３は、ウィークリータイマー信号を室内機２が受信開始したことを報知する。そして、ステップＳ４へ進む。
【００２１】
（Ｓ４）
ステップＳ２と同様の処理が、火曜日〜土曜日のそれぞれについて実施される。その処理終了後、ステップＳ５へ進む。
【００２２】
（Ｓ５）
第２受信信号解析部２２４は、タイマー計測部２２３によってカウントされているタイマーがタイムアップしたか否かを判定する。その判定の結果、タイムアップしていないと判定した場合はステップＳ６へ、また、タイムアップしたと判定した場合はステップＳ１０へ進む。
【００２３】
（Ｓ６）
第１受信信号解析部２２１は、リモコン１から受信部２１を介して信号を受信する。そして、ステップＳ７へ進む。
【００２４】
（Ｓ７）
第１受信信号解析部２２１は、受信した信号が正常信号であるか否かを判定する。その判定の結果、受信した信号が正常信号であると判定した場合はステップＳ８へ進み、また、受信した信号が異常信号であると判定した場合は、その異常信号を破棄してステップＳ５へ戻る。
【００２５】
（Ｓ８）
受信信号判定部２２２は、第１受信信号解析部２２１から正常信号を受信し、その受信した正常信号が日曜日のウィークリータイマー信号であるか否かを判定する。その判定の結果、正常信号が日曜日のウィークリータイマー信号であると判定した場合はステップＳ９へ進み、また、正常信号が日曜日のウィークリータイマー信号でないと判定した場合はステップＳ５へ戻る。ここで、正常信号が日曜日のウィークリータイマー信号でないとは、正常信号がウィークリータイマー信号でない場合、又は、ウィークリータイマー信号であったとしても日曜日のものではない場合をいう。
【００２６】
（Ｓ９）
第２受信信号解析部２２４は、受信信号判定部２２２によって７曜日すべてのウィークリータイマー信号が正常に受信されたと判定し、その旨を報知部２３に通知する。その通知を受信した報知部２３は、７曜日すべてのウィークリータイマー信号の受信が正常終了したことを報知する。
【００２７】
（Ｓ１０）
第２受信信号解析部２２４は、タイマー計測部２２３によってカウントされているタイマーがタイムアップしたと判定し、その旨を報知部２３に通知する。その通知を受信した報知部２３は、７曜日のウィークリータイマー信号の受信が異常終了したことを報知する。
【００２８】
（実施の形態１における効果）
以上の構成及び動作によって、正常信号を受信できない、又は、月曜日、火曜日、・・・というように所定の順序でウィークリータイマー信号を受信できない場合等によって７曜日すべてのウィークリータイマー信号を所定の制限時間内に受信できない場合にウィークリータイマー信号の受信について異常終了したものとして使用者に対し報知することができる。
また、このような報知をすることによって、使用者に再度リモコン１による設定を促す効果も有する。
【００２９】
なお、図２においては、リモコン１がウィークリータイマー信号を月曜日から送信するものとしたが、これに限定されるものではなく、火曜日等の別の曜日から送信する動作としてもよく、また、送信する順番も限定されるものではない。例えば、火曜日から送信する動作とした場合には、図２におけるステップＳ２４においては、火曜日のウィークリータイマー信号であるか否か判定するものとすればよい。
また、図２においては、７曜日すべてのウィークリータイマー信号を受信する動作を示したが、これに限定されるものではなく、リモコン１等によって予め特定の曜日（１つの曜日でも複数の曜日でもよい）、又は、特定の曜日の特定の時間に対応するウィークリータイマー信号を受信するように設定できるものとしてもよい。
また、図２において、タイマー計測部２２３が、７曜日すべてのウィークリータイマー信号を受信するための所定の制限時間を１つのタイマーによって監視させているが、これに限定されるものではなく、各曜日のウィークリータイマー信号の受信処理ごとに別々のタイマーによって監視してもよい。
さらに、上記の動作においては、図２におけるステップＳ１において、第１受信信号解析部２２１は、リモコン１から受信部２１を介して信号の受信を開始すると、その信号の受信を開始した旨をタイマー計測部２２３に通知、又は、その受信を開始した信号のうち、その信号の種別を識別するためのフラグ等の情報を判別して、このフラグ等によりウィークリータイマー信号であると判別した場合のみ、信号の受信を開始した旨をタイマー計測部２２３に通知するものとしたが、これに限定されるものではなく、以下のように動作するものとしてもよい。すなわち、図２におけるステップＳ１の処理のタイミングでタイマーをスタートさせるのではなく、月曜日のウィークリータイマー信号を受信する処理であるステップＳ２（このうちステップＳ２１の処理を除く）において、受信信号判定部２２２が、第１受信信号解析部２２１から正常信号を受信し、その受信した正常信号が月曜日のウィークリータイマー信号であると判定した後に、タイマー計測部２２３がタイマーをスタートさせる動作としてもよい。このとき、上記のように、ステップＳ２において、月曜日のウィークリータイマー信号から受信するのではなく、別の曜日のウィークリータイマー信号から受信する場合は、その曜日のウィークリータイマー信号であると判定された後に、タイマーをスタートさせるものとすればよいのは言うまでもない。このような動作とすることによって、制御部２２によって受信された信号が、ウィークリータイマー信号であることが確実に確認されてから、図２で示されるようなタイマーによるウィークリータイマー信号の受信動作の監視処理を実施することができる。
【００３０】
実施の形態２．
本実施の形態においては、実施の形態１に係る空気調和機と相違する点を中心に説明する。
【００３１】
（リモコン１及び室内機２ａの構成）
図３は、本発明の実施の形態２に係る空気調和機における室内機及びリモコンの構成図である。
【００３２】
図３で示されるように、本実施の形態に係る空気調和機は、少なくとも、リモコン１及び室内機２ａを備えている。室内機２ａは、少なくとも、実施の形態１で説明した受信部２１、制御部２２及び報知部２３に加え、制御部２２からの信号を記憶するメモリー部２４、及び、リモコン１に信号を送信する送信部２５を備えている。
【００３３】
制御部２２における第１受信信号解析部２２１は、リモコン１から受信部２１を介して受信した信号が正常であるか否かを判定し、その判定の結果、その信号が異常信号である場合、その異常信号を破棄すると共に、その正常受信できなかった曜日（以下、異常曜日という）をメモリー部２４に記憶する。また、制御部２２における受信信号判定部２２２は、第１受信信号解析部２２１から受信した正常信号が所定の曜日に対応するウィークリータイマー信号であるか否か判定し、その判定の結果、その正常信号が所定の曜日に対応するウィークリータイマー信号でない場合、そのウィークリータイマー信号を正常受信できなかった曜日（これについても上記と同様に、以下、異常曜日という）をメモリー部２４に記憶する。また、制御部２２における第２受信信号解析部２２４は、送信部２５に対してメモリー部２４から前述の異常曜日を読み出させて、その異常曜日をリモコン１に送信させる。その異常曜日を受信したリモコン１は、その異常曜日に対応するウィークリータイマー信号を受信部２１に再度送信する。
【００３４】
（リモコン１及び室内機２ａの動作）
図４は、本発明の実施の形態２に係る空気調和機における室内機及びリモコンの動作を示すフローチャートである。図４を参照しながら、本実施の形態に係る空気調和機において、第１受信信号解析部２２１が、リモコン１から受信部２１を介して最初の曜日の信号を受信した以降のリモコン１及び室内機２ａの動作を説明する。本実施の形態においては、第１受信信号解析部２２１が、リモコン１から受信部２１を介して受信する信号として月曜日の信号から、火曜日、水曜日、・・・、日曜日の順番で受信するものとしている。なお、ステップＳ１、ステップＳ２におけるステップＳ２１及びステップＳ２２、ステップＳ３〜ステップＳ６、並びに、ステップＳ９における処理は、実施の形態１と同様であるので、実施の形態１と相違する処理について以下に説明する。
【００３５】
（Ｓ２）
ステップＳ２は、月曜日のウィークリータイマー信号を受信する処理であり、ステップＳ２１〜ステップＳ２５によって構成されている。
【００３６】
（Ｓ２３）
第１受信信号解析部２２１は、受信した信号が正常信号であるか否かを判定する。その判定の結果、受信した信号が正常信号であると判定した場合はステップＳ２４へ進み、また、受信した信号が異常信号であると判定した場合は、その異常信号を破棄してステップＳ２５へ進む。
【００３７】
（Ｓ２４）
受信信号判定部２２２は、第１受信信号解析部２２１から正常信号を受信し、その受信した正常信号が月曜日のウィークリータイマー信号であるか否かを判定する。その判定の結果、正常信号が月曜日のウィークリータイマー信号であると判定した場合はステップＳ３へ進み、また、正常信号が月曜日のウィークリータイマー信号でないと判定した場合はステップＳ２５へ進む。ここで、正常信号が月曜日のウィークリータイマー信号でないとは、正常信号がウィークリータイマー信号でない場合、又は、ウィークリータイマー信号であったとしても月曜日のものではない場合をいう。
【００３８】
（Ｓ２５）
第１受信信号解析部２２１が受信した信号が異常信号であると判定した場合、及び、受信信号判定部２２２が受信した正常信号が月曜日のウィークリータイマー信号でないと判定した場合、第１受信信号解析部２２１及び受信信号判定部２２２は、それぞれ、その異常曜日（ここでは月曜日）をメモリー部２４に記憶し、ステップＳ３へ進む。
【００３９】
（Ｓ７）
第１受信信号解析部２２１は、受信した信号が正常信号であるか否かを判定する。その判定の結果、受信した信号が正常信号であると判定した場合はステップＳ８へ進み、また、受信した信号が異常信号であると判定した場合は、その異常信号を破棄してステップＳ１１へ進む。
【００４０】
（Ｓ８）
受信信号判定部２２２は、第１受信信号解析部２２１から正常信号を受信し、その受信した正常信号が月曜日のウィークリータイマー信号であるか否かを判定する。その判定の結果、正常信号が月曜日のウィークリータイマー信号であると判定した場合はステップＳ１２へ進み、また、正常信号が月曜日のウィークリータイマー信号でないと判定した場合はステップＳ１１へ進む。ここで、正常信号が日曜日のウィークリータイマー信号でないとは、正常信号がウィークリータイマー信号でない場合、又は、ウィークリータイマー信号であったとしても日曜日のものではない場合をいう。
【００４１】
（Ｓ１１）
第１受信信号解析部２２１が受信した信号が異常信号であると判定した場合、及び、受信信号判定部２２２が受信した正常信号が日曜日のウィークリータイマー信号でないと判定した場合、第１受信信号解析部２２１及び受信信号判定部２２２は、それぞれ、その異常曜日（ここでは日曜日）をメモリー部２４に記憶し、ステップＳ１２へ進む。
【００４２】
（Ｓ１２）
第２受信信号解析部２２４は、受信信号判定部２２２によって７曜日すべてのウィークリータイマー信号が正常に受信されたか否か判定する。その判定の結果、正常に受信されたと判定した場合はステップＳ９へ進み、また、正常に受信されていないと判定した場合はステップＳ１３へ進む。
【００４３】
（Ｓ１３）
第２受信信号解析部２２４は、送信部２５に対してメモリー部２４から異常曜日を読み出させ、その異常曜日をリモコン１に送信させる。そして、ステップＳ１４へ進む。
【００４４】
（Ｓ１４）
第２受信信号解析部２２４は、タイマー計測部２２３に対してタイマーのカウントを停止させ、再スタートさせる。そして、ステップＳ１５へ進む。
【００４５】
（Ｓ１５）
第２受信信号解析部２２４は、タイマー計測部２２３によってカウントされているタイマーがタイムアップしたか否かを判定する。その判定の結果、タイムアップしていないと判定した場合はステップＳ１６へ、また、タイムアップしたと判定した場合はステップＳ１０へ進む。
【００４６】
（Ｓ１６）
第１受信信号解析部２２１は、リモコン１から受信部２１を介してステップＳ１３における異常曜日に対応する信号を受信する。そして、ステップＳ１７へ進む。
【００４７】
（Ｓ１７）
第１受信信号解析部２２１は、受信した異常曜日に対応する信号のすべてが正常信号であるか否かを判定する。その判定の結果、受信した信号のすべてが正常信号であると判定した場合はステップＳ１８へ進み、また、受信した信号のいずれかが異常信号であると判定した場合は、その異常信号を破棄してステップＳ１０へ進む。
【００４８】
（Ｓ１８）
受信信号判定部２２２は、第１受信信号解析部２２１から異常曜日に対応する正常信号を受信し、その受信した正常信号のすべてがそれぞれの異常曜日のウィークリータイマー信号であるか否かを判定する。その判定の結果、正常信号のすべてがそれぞれの異常曜日のウィークリータイマー信号であると判定した場合はステップＳ１２へ戻り、また、正常信号のいずれかがそれぞれの異常曜日のウィークリータイマー信号でないと判定した場合はステップＳ１０へ進む。
【００４９】
（Ｓ１０）
第２受信信号解析部２２４は、タイマー計測部２２３によってカウントされているタイマーがタイムアップしたと判定した場合、ステップＳ１７において第１受信信号解析部２２１が受信した信号のいずれかが異常信号であると判定した場合、又は、ステップＳ１８において受信信号判定部２２２が受信した正常信号のいずれかがそれぞれの異常曜日のウィークリータイマー信号でないと判定した場合、その旨を報知部２３に通知する。その通知を受信した報知部２３は、７曜日のウィークリータイマー信号の受信が異常終了したことを報知する。
【００５０】
（実施の形態２における効果）
以上の構成及び動作のように、ウィークリータイマー信号を受信開始後、ある曜日のウィークリータイマー信号を受信できなかった場合には、リモコン１に受信できなった異常曜日を送信し、リモコン１にその異常曜日に対応するウィークリータイマー信号を再度送信させることによって、再度、使用者がリモコン１を操作することなく運転状態の再設定が可能となる。
また、このように受信できなかったウィークリータイマー信号を自動的に再送信することによって、確実に運転状態の設定が可能となる。
【００５１】
なお、図４におけるステップＳ１４において、最初のウィークリータイマー信号の受信処理におけるタイマーと、異常曜日に対応するウィークリータイマー信号の受信処理におけるタイマーを同一のものとしているが、これに限定されるものではなく、別々のタイマー、すなわち、それぞれ制限時間の異なるタイマーとしてもよい。例えば、７曜日のうち２曜日分のウィークリータイマー信号が正常に受信できなかった場合、最初のウィークリータイマー信号の受信処理におけるタイマーの制限時間の７分の２の制限時間を有するタイマーを、異常曜日に対応するウィークリータイマー信号の受信処理に適用するものとしてもよい。
また、図４において、異常曜日に対応するウィークリータイマー信号の再送信をステップＳ１６において１回のみ実施しているが、これに限定されるものではなく、この異常曜日に対応するウィークリータイマー信号の再送信において、正常に受信できなかった異常曜日を検出して、さらに再送信を実施するものとしてもよく、また、この再送信処理を所定回数実施するものとしてもよい。このとき、この再送信処理の実施回数をリモコン１等によって任意に設定できるものとしてもよい。このようにすることによって、再送信処理を１度のみ実施する場合と比較して、運転状態の設定をさらに確実に実施することができる。
また、図４のステップＳ１３において、第２受信信号解析部２２４が、送信部２５に対してメモリー部２４から異常曜日を読み出させ、その異常曜日をリモコン１に送信させるものとしているが、これに限定されるものではなく、第２受信信号解析部２２４自身が、メモリー部２４から異常曜日を読み出し、その異常曜日を送信部２５に送信し、そして、送信部２５がリモコン１にその異常曜日を送信するものとしてもよい。
【符号の説明】
【００５２】
１  リモコン、２、２ａ  室内機、２１  受信部、２２  制御部、２３  報知部、２４  メモリー部、２５  送信部、２２１  第１受信信号解析部、２２２  受信信号判定部、２２３  タイマー計測部、２２４  第２受信信号解析部。
【図１】
2011085282.tif 000003
【図２】
2011085282.tif 000004
【図３】
2011085282.tif 000005
【図４】
2011085282.tif 000006